(57)【要約】      （修正有）【課題】デザインのよさと、水の交換のしやすさを両立することのできる植物用容器を提供する。【解決手段】互いに分離可能な、上方部１０と、下方部２０とを備える植物用容器１にある。上方部は、透明な素材により形成された側壁部１１と、側壁部によって囲まれ開放空間を有する開放孔部１３と、側壁部によって囲また底面部が設けらる。所定の植物を保持するとともに、植物の根の部分は底面部から突出可能となっている保持部１４と、を備え、下方部は、透明な素材により形成された側壁部と底面部とを備え、側壁部と底面部によって、貯水部を構成する。【選択図】図１
0003185376.tif 000002
【実用新案登録請求の範囲】
【請求項１】
互いに分離可能な、上方部と、下方部とを備える植物用容器にあって、
上方部は、
透明な素材により形成された側壁部と、
前記側壁部によって囲まれ開放空間を有する開放孔部と、
前記側壁部によって囲また底面部に設けられ、所定の植物を保持するとともに、前記植物の根の部分は前記底面部から突出可能となっている保持部と、
を備え、
前記下方部は、透明な素材により形成された側壁部と底面部とを備え、
前記側壁部と前記底面部によって、貯水部を構成する
ことを特徴とする植物用容器。
【請求項２】
前記保持部は、前記側壁部の間に格子状に棒状の部材を固定して形成される
ことを特徴とする請求項１に記載の植物用容器。
【請求項３】
前記保持部は、透明の前記側壁部に対して固定可能な板状の部材によって形成され、前記板状の部材の中央には、孔部が形成される
ことを特徴とする請求項１に記載の植物用容器。
【請求項４】
前記上方部の前記底面部には、前記下方部と係合する突出した位置決め部が設けられており、
前記位置決め部は、前記下方部の前記側壁部内の空間に突出した部位が挿入される
ことを特徴とする請求項１に記載の植物用容器。
【考案の詳細な説明】
【技術分野】
【０００１】
本考案は、植物用容器に関する。
【背景技術】
【０００２】
従来、サボテンや多肉植物は乾燥地帯に生育する種類が多いこともあり、土栽培において、水やりの過多が腐れの原因と考えられることが多かったが、極僅かのサボテン農家や愛好家らにより水栽培が長年実践されており、一般には知られていないが、サボテン・多肉植物の水栽培は可能であることが証明されている。しかしながら、水栽培に関する専門的な知識が一般には知られていないため、それらの水栽培自体が普及せず、普及しなかったゆえに専用の用具が開発されることもなかった。ごく一部の園芸家が、ヒヤシンスやクロッカスなどの球根植物用ガラスポット、あるいは空き瓶やグラスなど、透明度の高い容器を流用するにとどまっていた。
【先行技術文献】
【特許文献】
【０００３】
【特許文献１】特開２００５−２８７４８２号公報
【考案の概要】
【考案が解決しようとする課題】
【０００４】
最近ではサボテンは、観賞用の植物として好まれる傾向があり、そのためにはインテリアとしてのデザインのよさと、水の交換のしやすさ等が両立される必要がある。上記従来の容器にあっては、その点が不十分であり、なお改善の余地があった。本考案の実施形態は、上記に鑑みてなされたものであって、デザインのよさと、水の交換のしやすさを両立することのできる植物用容器を提供することを目的とする。
【課題を解決するための手段】
【０００５】
上述した課題を解決し、目的を達成するために、本考案は互いに分離可能な、上方部と、下方部とを備える植物用容器にあって、上方部は、透明な素材により形成された側壁部と、前記側壁部によって囲まれ開放空間を有する開放孔部と、前記側壁部によって囲また底面部に設けられ、所定の植物を保持するとともに、前記植物の根の部分は前記底面部から突出可能となっている保持部と、を備え、前記下方部は、透明な素材により形成された側壁部と底面部とを備え、前記側壁部と前記底面部によって、貯水部を構成することを特徴とする。
【図面の簡単な説明】
【０００６】
【図１】図１は、実施形態の容器の斜視図である。
【図２】図２は、実施形態の容器を上方部と下方部とに分離させた状態を示す斜視図である。
【図３】図３は、実施形態の容器の上方部を底面側からみた底面図である。
【図４】図４は、実施形態の容器の上方部を底面側からみた斜視図である。
【図５】図５は、実施形態の容器に植物、及び水を入れた状態を示す斜視図である。
【図６】図６は、実施形態の容器に植物、及び水を入れた状態を示す斜視図である。
【図７】図７は、実施形態の容器の別の形状を示す底面図である。
【考案を実施するための形態】
【０００７】
以下本考案を具体化した実施形態について図面を参照して、説明する。図１は、容器の斜視図を示しており、図２は、容器を上方部と下方部とを分離した状態を示した斜視図である。図１に示されるように、植物用容器１は、四角柱の形状をしたサボテンなどの多肉性植物用の容器である。植物用容器１は、上方部１０と、下方部２０とを組みあせて構成されている。上方部１０は、側面がガラスやアクリル等透明な素材で形成された側壁部１１を備えている。なお、側壁部１１は、植物の視認性をよくするために透明であればよく、別の素材であってもよい。また、全面が透明でなくても、プラスチック、真鍮、アルミなどで一部の側壁部１１が形成されていてもよい。側壁部１１は、支柱部１２の間に例えば溶接されることで固定されている。上方部１０の図中における上方側は、開放孔部１３が形成されている。なお、本実施形態では開放孔部１３は、支柱部１２によって囲まれる矩形に形成されているが、この形状は問わず、植物をこの開放孔部１３から入れたり、取り出したりしやすい大きさと形状であればよい。
【０００８】
また、上方部１０の底面には、保持部１４が設けられている。保持部１４は、図３に示されるように、支柱部１２の間において、格子状に溶接で棒状の金具が固定されることで形成されている。なお、それぞれの金具によって形成される中央における孔部の形状は、多肉植物を保持しつつ、根は通すことができるようになっている。したがって、保持部１４の形状は、本実施形態のものに限定されず、例えば図７に示されるように、中央の植物を保持する部分の形状が円形状になっていてもよいし、例えば、中央に孔部が形成されたアクリルやガラス製のプレートを上方部１０に固定することで設けるようにしてもよい。ただし、保持部１４は、インテリアとしての美観を維持するためには、格子や透明の素材のように視認性を損なわないようにすることが望ましい。また、図４に示されるように、保持部１４の４つの角のうちの２つには、突出した棒状の位置決め部１５が設けられている。位置決め部１５は、下方部２０に対して挿入されるようにその位置や形状が設定されており、位置決め部１５が下方部２０の側壁部２１と係合する。
【０００９】
下方部２０は、上方部１０と同様に側面がガラスやアクリル等透明な素材で形成された側壁部２１を備えている。側壁部２１は、支柱部２２の間に例えば溶接されることで固定されている。また、下方部２０には、底面部２３が設けられている。底面部２３も同じく支柱部２２に対して、隙間がないように溶接されて固定されており、透明な素材で形成されている。下方部２０は、水を入れる貯水部として機能し、上方部１０の保持部１４によって植物が保持されている状態にあっては、植物の根の部分が透明な側壁部２１を通じて外部から視認することができる。
【００１０】
図５、及び図６は、植物用容器１に植物と水を入れた状態を示す斜視図である。図５、６に示されるように、植物を入れたり、取り出したりする場合には、上方部１０の上方側に形成された開放孔部１３から植物をいれ、保持部１４に設定すればよいため、植物をいれる作業が非常に容易にある。また、上方部１０を持ち上げて下方部２０と分離させ、下側から保持部１４から出てきている植物の根の部分を所望の位置の調整する作業もやりやすくなっている。また、水の交換の場合には、上方部１０を取り外し、下方部２０の水を入れ替えるのみでよいため、水の交換の際に植物自体がぬれてしまう可能性もなく、水交換をやりやすくなる。
【００１１】
また、全ての側壁部１１、２１が透明に形成されているため、どの角度からも植物を根の部分も含めてみることができ、水栽培により根の部分まで見ることができるという利点を活かすことができる構造にもなっている。
【００１２】
以上、本考案の好適な実施例について説明したが、本考案は、かかる実施形態に限定されず、その考案の趣旨を逸脱しない範囲で種々の変形実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【符号の説明】
【００１３】
１  植物用容器
１０  上方部
１１  側壁部
１２  支柱部
１３  開放孔部
１４  保持部
１５  位置決め部
２０  下方部
２１  側壁部
２２  支柱部
２３  底面部
【図１】
0003185376.tif 000003
【図２】
0003185376.tif 000004
【図３】
0003185376.tif 000005
【図４】
0003185376.tif 000006
【図５】
0003185376.tif 000007
【図６】
0003185376.tif 000008
【図７】
0003185376.tif 000009